(57)【要約】【課題】繰り返し眼鏡をかけたり外したりする際の眼鏡の一時的な置き場所として使い勝手の良い眼鏡ケースを提供する。【解決手段】第１ケース１０の長さ方向が略鉛直方向となる状態で第２ケース２０が開位置に移動した場合、眼鏡挿入口１１および収容口２１を上向きとした状態で眼鏡ケース１が自立するように、眼鏡ケース１を構成する。このように構成すれば、従来の眼鏡ケースと比べて、開状態にした場合に占めるスペースを少なくすることができ、眼鏡の一時的な置き場所として使い勝手を良くすることができる。【選択図】図５
2008006135.tif 000002
【特許請求の範囲】
【請求項１】
折り畳んだ状態の眼鏡をその長さ方向の一端側から挿入できる、眼鏡挿入口を有する第１ケースと、
前記第１ケースの前記眼鏡挿入口に接合する形状の収容口を有しており、前記第１ケースとヒンジ接続された第２ケースと、
を有する、折り畳んだ状態の眼鏡を収容可能な眼鏡ケースであって、
前記第１ケースは、前記眼鏡挿入口に前記折り畳んだ状態の眼鏡がその長さ方向の一端側から挿入された際、前記眼鏡の一部分が収容できるようになっており、
前記第２ケースは、前記収容口が前記第１ケースの前記眼鏡挿入口と当接し、前記眼鏡ケースを閉状態とすることができる閉位置と、前記収容口が前記眼鏡挿入口と同一方向となり、前記眼鏡ケースを開状態とすることができる開位置との間で回動できるようにヒンジ接続されており、
前記第２ケースは、それを前記閉位置に移動した場合、前記第１ケースに挿入された眼鏡のうちの前記第１ケースに収容できなかった残りの部分を収容することができるようになっており、
前記第１ケースの長さ方向が略鉛直方向となる状態で前記第２ケースが開位置に移動した場合、前記眼鏡挿入口および前記収容口を上向きとした状態で前記眼鏡ケースが自立するように構成されている、
眼鏡ケース。
【請求項２】
前記第１ケースの長さ方向が略鉛直方向となる状態で前記第２ケースが開位置に移動した場合、前記第１ケースおよび前記第２ケースは、それぞれ、前記眼鏡ケースを載置した面と線接触する、
請求項１記載の眼鏡ケース。
【請求項３】
前記第１ケースおよび前記第２ケースは、前記折り畳んだ状態の眼鏡が収容されて前記眼鏡ケースが閉状態となったときの、前記眼鏡ケースの前記眼鏡のレンズ側となる面が、前記眼鏡のレンズに沿った形状となっている、
請求項１または２記載の眼鏡ケース。
【請求項４】
前記第１ケースおよび前記第２ケースは、前記眼鏡ケースが閉状態となったときの、前記眼鏡ケースの長さ方向の断面形状が、長細い半楕円形状となっている、
請求項３記載の眼鏡ケース。
【請求項５】
前記第１ケースおよび前記第２ケースの、前記眼鏡のレンズ側となる面を構成する面部の内側に、眼鏡のレンズを保護するためのクッション材が取り付けられている、
請求項３または４記載の眼鏡ケース。
【請求項６】
前記第１ケースと前記第２ケースは、前記眼鏡挿入口の幅方向の縁部の一方と、前記収容口の幅方向の縁部の一方とがヒンジ接続されており、
前記第２ケースの、前記収容口の幅方向の縁部の他方を含む面部は、開閉可能となっている、
請求項１ないし５記載の眼鏡ケース。
【発明の詳細な説明】
【技術分野】
【０００１】
本発明は、眼鏡を収納するための眼鏡ケースに関する。
【背景技術】
【０００２】
従来の眼鏡ケースとしては、図６に示すように、ケース本体１１０と蓋１２０がその幅方向の一端側においてヒンジ接続されているものが一般的である。このような構成の眼鏡ケース１００を、その蓋１２０を開けた状態（開状態）にしておけば、気軽に眼鏡５０を載置したり手に取ったりすることができ、繰り返し眼鏡５０をかけたり取り外したりする際の眼鏡の置き場として使用することができる。
【０００３】
このように、繰り返し眼鏡５０をかけたり外したりする際の眼鏡の置き場として使用する場合には、眼鏡５０をいつでも載置できるように眼鏡ケース１００を開状態にしておく必要があるが、蓋１２０を閉じた状態（閉状態）から、図６に示すように、蓋１２０を９０°程度回動させた開状態とした眼鏡ケース１００を机の上等に載置しておくと、その重心が不安定になり、蓋１２０に手を引っかけてしまった場合に眼鏡ケース１００を転倒させてしまうことがある。また、図７に示すように、閉状態から蓋１２０を１８０°回動させた開状態とした場合には、その重心は安定するが、眼鏡ケース１００を閉状態とした場合の倍近いスペースを占めることとなり、邪魔になる。つまり、従来の眼鏡ケース１００は、繰り返し眼鏡５０をかけたり外したりする際の眼鏡の一時的な置き場所として使い勝手が良くない。
このため、眼鏡の一時的な置き場所として眼鏡ケース１００を使用している人は少なく、眼鏡ケース１００は就寝時や眼鏡を持ち運んだりする際にのみ使用されることが多いのが現状となっている。
【発明の開示】
【発明が解決しようとする課題】
【０００４】
本発明は、以上の事情に鑑み、繰り返し眼鏡をかけたり外したりする際の眼鏡の一時的な置き場所として使い勝手の良い眼鏡ケースを提供することを課題とするものである。
【課題を解決するための手段】
【０００５】
本発明者は、上述の課題を解決する眼鏡ケースを提供する。
本発明の眼鏡ケースは、  折り畳んだ状態の眼鏡をその長さ方向の一端側から挿入できる、眼鏡挿入口を有する第１ケースと、前記第１ケースの前記眼鏡挿入口に接合する形状の収容口を有しており、前記第１ケースとヒンジ接続された第２ケースと、を有する、折り畳んだ状態の眼鏡を収容可能な眼鏡ケースであって、前記第１ケースは、前記眼鏡挿入口に前記折り畳んだ状態の眼鏡がその長さ方向の一端側から挿入された際、前記眼鏡の一部分が収容できるようになっており、前記第２ケースは、前記収容口が前記第１ケースの前記眼鏡挿入口と当接し、前記眼鏡ケースを閉状態とすることができる閉位置と、前記収容口が前記眼鏡挿入口と同一方向となり、前記眼鏡ケースを開状態とすることができる開位置との間で回動できるようにヒンジ接続されており、前記第２ケースは、それを前記閉位置に移動した場合、前記第１ケースに挿入された眼鏡のうちの前記第１ケースに収容できなかった残りの部分を収容することができるようになっており、前記第１ケースの長さ方向が略鉛直方向となる状態で前記第２ケースが開位置に移動した場合、前記眼鏡挿入口および前記収容口を上向きとした状態で前記眼鏡ケースが自立するように構成されている。
一般的な眼鏡ケースの面のうち、面積の大きいのは、テンプル側の面部またはレンズ側の面部である。従来の眼鏡ケースでは、眼鏡ケースを開状態とした場合であっても、このテンプル側の面部またはレンズ側の面部が下側となるように載置される。
これに対し、本発明の眼鏡ケースは、第１ケースの長さ方向が略鉛直方向となる状態で第２ケースが開位置に移動した場合、前記眼鏡挿入口および前記収容口を上向きとした状態で眼鏡ケースが自立するように構成されている。つまり、本発明の眼鏡ケースを開状態とした場合、眼鏡ケースの面のうち、面積の小さい面部である、眼鏡ケースの長さ方向の端面が下側となるように載置される。この際、第１ケースおよび第２ケースの双方における、長さ方向の端面が下側となるので、結果的に２倍分の面積が必要となるが、この面積は、テンプル側の面部またはレンズ側の面部の面積に比べてずっと小さい。
すなわち、本発明の眼鏡ケースによれば、上述した従来の眼鏡ケースと比べて、開状態にした場合に占めるスペースを少なくすることができ、眼鏡の一時的な置き場所として使い勝手を良くすることができる。
なお、本発明において「ヒンジ接続」とは、ヒンジにより接続されたときに実現される動きと同じ動きが可能となる接続を広く意味する。
【０００６】
前記第１ケースの長さ方向が略鉛直方向となる状態で前記第２ケースが開位置に移動した場合、前記第１ケースおよび前記第２ケースは、それぞれ、前記眼鏡ケースを載置した面と線接触するようになっていてもよい。
このようになっていれば、眼鏡ケースを載置した面に凹凸がある場合であっても、安定した状態で自立させることができるようになる。
例えば、前記第１ケースおよび前記第２ケースは、前記折り畳んだ状態の眼鏡が収容されて前記眼鏡ケースが閉状態となったときの、前記眼鏡ケースの前記眼鏡のレンズ側となる面が、前記眼鏡のレンズに沿った形状となっていてもよい。
より具体的には、例えば、前記第１ケースおよび前記第２ケースは、前記眼鏡ケースが閉状態となったときの、前記眼鏡ケースの長さ方向の断面形状が、長細い半楕円形状となっていてもよい。
【０００７】
前記第１ケースおよび前記第２ケースの、前記眼鏡のレンズ側となる面を構成する面部の内側に、眼鏡のレンズを保護するためのクッション材が取り付けられていてもよい。
こうすれば、眼鏡を眼鏡ケース内に入れる際の衝撃や、眼鏡ケース内に収容した際に外部から受ける衝撃を防ぐことができ、眼鏡のレンズが傷つかないように保護することができる。
【０００８】
前記第１ケースと前記第２ケースは、前記眼鏡挿入口の幅方向の縁部の一方と、前記収容口の幅方向の縁部の一方とがヒンジ接続されており、前記第２ケースの、前記収容口の幅方向の縁部の他方を含む面部は、開閉可能となっていてもよい。
第２ケースの収容口の幅方向の縁部の他方を含む面部が閉じた状態のままで第２ケースを閉位置に移動しようとすると、収容する眼鏡の大きさによっては、眼鏡の他端側がこの収容口の幅方向の縁部の他方を含む面部にひっかかってしまい、眼鏡ケースを閉状態とすることができない場合があるが、収容口の幅方向の縁部の他方を含む面部を開閉可能にすれば、第２ケースを閉位置に移動しようとする場合に、この収容口の幅方向の縁部の他方を含む面部を開いた状態とすることができ、収容口の幅方向の縁部の他方を含む面部に眼鏡の他端側がひっかかることなく第２ケースをスムーズに閉位置に移動させることができる。
【発明の効果】
【０００９】
本発明によれば、繰り返し眼鏡をかけたり外したりする際の眼鏡の一時的な置き場所として使い勝手の良い眼鏡ケースを提供することができる。
【発明を実施するための最良の形態】
【００１０】
以下、本発明の眼鏡ケースの好ましい実施形態を、図面を参照しながら説明する。
【００１１】
図１は、本実施形態の眼鏡ケース１の構成を示す図である。
この図に示すように、眼鏡ケース１は、第１ケース１０と、第２ケース２０とからなる。
【００１２】
第１ケース１０は、折り畳んだ状態の眼鏡５０をその長さ方向の一端側から挿入するための眼鏡挿入口１１を有しており、挿入した眼鏡５０の半分程度を収容できる程度の大きさの、金属製のケースである。
この第１ケース１０に眼鏡５０を収容した際、眼鏡５０のテンプル側に位置する面部（テンプル側の面部）１０Ａの長さは、眼鏡５０の長さの３分の２程度を収容できる長さとされており、テンプル側の面部と向かい合う面部であって、眼鏡のレンズ側に位置する面部（レンズ側の面部）１０Ｂの長さは、眼鏡５０の長さの２分の１程度を収容できる長さとされている。レンズ側の面部１０Ｂは、眼鏡挿入口１１から遠ざかるにつれてテンプル側の面部１０Ａに近づくようにカーブしており、レンズ側の面部１０Ｂおよびテンプル側の面部Ａの一端同士が重なり合うようになっている。
レンズ側の面部１０Ｂの内側には、眼鏡５０のレンズを保護するためのクッション材（図示しない）が取り付けられている。
眼鏡挿入口１１は、テンプル側の面部１０Ａの他端部により構成される縁部１１ａからレンズ側の面部１０Ｂの縁部１１ｂに向かって外側に緩くカーブした形状となっている。テンプル側の面部１０Ａの縁部１１ａの内側には、外側に突出する薄い金属板１２が取り付けられている。
【００１３】
第２ケース２０は、第１ケース１０に眼鏡５０を収容した状態の第１ケース１０の蓋となる部材であり、その大部分が金属からなるケースである。この第２ケース２０は、眼鏡挿入口１１に対応する形状（接合する形状）の収容口２１を有している。
第２ケース２０の面のうち、第１ケース１０に眼鏡５０を収容した状態で収容口２１を眼鏡挿入口１１に当接させた際に眼鏡５０のテンプル側に位置する面部（テンプル側の面部）２０Ａの長さは、第１ケースのテンプル側の面部１０Ａの長さの約半分程度とされている。このテンプル側の面部２０Ａは、薄い板状の磁石により形成されている。
第２ケース２０の面のうち、テンプル側の面部２０Ａと向かい合う面部であり、眼鏡のレンズ側に位置する面部（レンズ側の面部）２０Ｂの長さは、第１ケース１０のレンズ側の面部１０Ｂの長さと略同一の長さとされている。このレンズ側の面部２０Ｂは、収容口２１から遠ざかるにつれてテンプル側の面部２０Ａに近づくように、第１ケース１０と同様にカーブしている。
このレンズ側の面部２０Ｂの内側には、眼鏡５０のレンズを保護するためのクッション材（図示しない）が取り付けられている。すなわち、第１ケース１０のレンズ側の面部１０Ｂと、第２ケース２０のレンズ側の面部２０Ｂは、同一の形状となっている。
レンズ側の面部２０Ｂおよびテンプル側の面部２０Ａの一端同士はヒンジ接続されており、テンプル側の面部２０Ａは、その幅方向の両端付近において、テンプル側の面部２０Ａとレンズ側の面部２０Ｂの幅方向の端部同士を接続する面部であって第２ケース２０の厚みとなる面部２０Ｃ、２０Ｄに、磁力により吸着するようになっている。すなわち、図２に示すように、磁石板であるテンプル側の面部２０Ａは、厚みとなる面部２０Ｃ、２０Ｄに対して開閉自在となっている。
【００１４】
この第１ケース１０および第２ケース２０は、レンズ側の面部１０Ｂ、２０Ｂの縁部１１ｂ、２１ｂ同士においてヒンジ接続されており、図３に示すように、収容口２１と眼鏡挿入口１１とが当接し、眼鏡ケース１を閉状態となる閉位置と、図４に示すように、収容口２１および眼鏡挿入口１１の向きが同じとなり、眼鏡ケース１を開状態となる開位置との間で、第１ケース１０および第２ケース２０のいずれか一方を他方に対して１８０°回動させることができるようになっている。
【００１５】
以下、本実施形態の眼鏡ケース１の使用方法について説明する。
まず、この眼鏡ケース１に眼鏡５０を収容する場合、図３に示すように、第１ケース１０の眼鏡挿入口１１から眼鏡５０を挿入できる程度に第２ケース２０を回動させた状態で、折り畳んだ状態の眼鏡５０を、眼鏡レンズが眼鏡レンズ側の面部１０Ａ側となるような向きで、その長さ方向の一端側から第１ケース１０に挿入する。その後、図３に示すようにテンプル側の面部２０Ａが開いた状態の第２ケース２０を閉位置に戻し、収容口２１と眼鏡挿入口１１を当接させ、テンプル側の面部２０Ａを、厚みとなる面部２０Ｃ、２０Ｄ、および金属板１２に吸着させる。このようにして、眼鏡ケース１を閉状態とし、眼鏡ケース１に眼鏡５０を収容することができる。
なお、テンプル側の面部２０Ａは、必ずしも、厚みとなる面部２０Ｃ、２０Ｄに対して開閉自在になっている必要はないが、テンプル側の面部２０Ａが閉じた状態のままで第２ケース２０を閉位置に戻そうとすると、収容する眼鏡５０の大きさによっては、テンプル側の面部２０Ａに眼鏡５０の他端側がひっかかってしまい、眼鏡ケース１を閉状態とすることができない場合もある。しかしながら、本実施形態の眼鏡ケース１では、テンプル側の面部２０Ａが厚みとなる面部２０Ｃ、２０Ｄに対して開閉自在になっているので、テンプル側の面部２０Ａを開いた状態とすることができ、テンプル側の面部２０Ａに眼鏡５０の他端側がひっかかることなく第２ケース２０をスムーズに閉位置に移動させることができる。
【００１６】
以上のようにして、眼鏡ケース１を閉状態とした場合の状態を、図４に示す。
この図に示すように、眼鏡ケース１を閉状態とした場合の眼鏡ケース１は、その長さ方向の断面形状が、長細い半楕円形状となっており、眼鏡ケース１の眼鏡５０のレンズ側の面は、眼鏡５０のレンズに沿った形状となっている。
この眼鏡ケース１の眼鏡５０のレンズ側の面部の内側には、眼鏡５０のレンズを保護するためのクッション材が取り付けられているので、眼鏡５０を眼鏡ケース１内に入れる際の衝撃や、眼鏡ケース１内に収容した際に外部から受ける衝撃を防ぐことができ、眼鏡５０のレンズが傷つかないように保護することができる。
【００１７】
眼鏡ケース１から眼鏡５０を取り出す場合、第２ケース２０のテンプル側の面部２０Ａを金属板１２から剥がし、第１ケース１０の眼鏡挿入口から眼鏡５０を取り出せる程度に、第２ケース２０を第１ケース１０から遠ざけるように回動させ、眼鏡挿入口１１から眼鏡５０を取り出せばよい。
【００１８】
このようにして眼鏡５０を取り出した後の眼鏡ケース１は、眼鏡５０の一時的な置き場として使用することができる。
この場合、第１ケース１０および第２ケース２０のいずれか一方を他方に対して１８０°回動させ、眼鏡ケース１を開状態とし眼鏡挿入口１１および収容口２１を上向きとした状態で、机の上等の所定の載置面上に載置する。
【００１９】
このように、眼鏡ケース１を開状態として載置面上に載置した状態を、図５に示す。
この図に示すように、開状態とした場合の眼鏡ケース１は自立するようになっており、眼鏡挿入口１１または収容口２１から、折り畳んだ状態の眼鏡５０を挿入すれば、眼鏡５０の長さ方向が略鉛直方向となるように、第１ケース１０または第２ケース２０内に眼鏡５０を保持することができるようになっている。
眼鏡ケースの面のうち、面積の大きい面部は一般的に、テンプル側の面部またはレンズ側の面部である。従来の眼鏡ケースでは、眼鏡ケースを閉状態とした場合であっても、このテンプル側の面部またはレンズ側の面部が下側となるように載置される。これに対し、本実施形態の眼鏡ケース１によれば、図５に示すように、面積の小さい、眼鏡ケース１の長さ方向の両端側の面部が下側となるように載置される。この際、第１ケース１０および第２ケース２０の双方における、長さ方向の両端側の面部が下側となるため、結果的に２倍分の面積が必要となるが、テンプル側の面部またはレンズ側の面部の面積に比べればずっと小さい。
すなわち、本実施形態の眼鏡ケース１によれば、上述した従来の眼鏡ケースと比べて、開状態にした場合に占めるスペースを少なくすることができ、繰り返し眼鏡をかけたり外したりする際の眼鏡の一時的な置き場所として使い勝手を良くすることができる。
また、本実施形態の眼鏡ケース１は、そのレンズ側の面部が、眼鏡５０のレンズに沿った形状となっているので、図５のように、第１ケース１０および第２ケース２０のそれぞれが載置面と線接触する。これにより、眼鏡ケース１の載置面に凹凸がある場合であっても、安定した状態で眼鏡ケース１を自立させることができるようになる。
なお、第１ケース１０または第２ケース２０のうち、眼鏡５０を入れなかった側のケースには、眼鏡拭き等を入れてもよいし、他の眼鏡を入れることもできる。
【００２０】
以上の実施形態では、第１ケース１０および第２ケース２０は、金属製（第２ケース２０のテンプル側の面部２０Ａは板状磁石）であるものとして説明したが、眼鏡ケース１を閉状態とした場合に、収容口２１と眼鏡挿入口１１とが当接した状態に維持することができるようになっていれば、樹脂製であるものとしてもよい。
また、第１ケース１０および第２ケース２０は、図５に示すように自立させた場合、必ずしも眼鏡ケース１を載置した面と線接触するようになっている必要はない。すなわち、レンズ側の面部１０Ｂおよび２０Ｂを、眼鏡１のレンズに沿った形状となるように構成しなくてもよく、薄い直方形状に形成してもよい。
さらに、本実施形態では、眼鏡ケース１を、眼鏡５０の一時的な置き場として使用する際、第１ケース１０および第２ケース２０のいずれか一方を他方に対して１８０°回動させた状態で使用するものとして記載したが、眼鏡ケース１が自立する程度に回動すれば十分であり、１８０°回動させる必要は必ずしもない。
また、１８０°回動させた開状態を維持するように、レンズ側の面部１０Ｂおよびレンズ側の面部２０Ｂの外側の、眼鏡挿入口１１および収容口２１付近の向かい合う位置に、磁石が取り付けられていてもよい。
【図面の簡単な説明】
【００２１】
【図１】眼鏡ケースの構成を示す図。
【図２】眼鏡ケースの、第２ケースのテンプル側の面部の開閉状態を示す図。
【図３】眼鏡ケースに眼鏡を出し入れする際の状態を示す図。
【図４】眼鏡ケースを閉状態とした状態を示す図。
【図５】眼鏡ケースを開状態とした状態を示す図。
【図６】従来の眼鏡ケースを開状態とした状態を示す図。
【図７】従来の眼鏡ケースを開状態とした状態を示す図。
【符号の説明】
【００２２】
１，１００  眼鏡ケース
１０  第１ケース
１１  眼鏡挿入口
２０  第２ケース
２１  収容口
５０  眼鏡
【図１】
2008006135.tif 000003
【図２】
2008006135.tif 000004
【図３】
2008006135.tif 000005
【図４】
2008006135.tif 000006
【図５】
2008006135.tif 000007
【図６】
2008006135.tif 000008
【図７】
2008006135.tif 000009